(57)【要約】【課題】多用途可能なこたつ布団や寝袋は、他用途への転用を考慮したために、本体の構造が本来のものとは異なった形態になっており、主たる用途のこたつ布団や他の用途の座布団として使用する場合に、専用品に比べて、使用勝手が劣り不十分なもので、またその外形も機能の中心で体裁が良くものではなく、いずれの用途においても中途半端で使用者に充分な満足を与えるものではなかった。【解決手段】本発明は、通常の布団、マットと同様に形成された布団、マットの部分と、この部分にポケット状に縫着された収納部とを具備し、布団等として使用しない場合には布団、マットの部分を収納部に収納して、クッション、又は座布団を構成するようにし、それぞれの用途において、専用品といずれの用途においても使用勝手が変わらず、またその外形や体裁も変わらない多用途クッションを実現したものである。【選択図】              図１
2004321415.tif 000002
【特許請求の範囲】
【請求項１】
綿，ポリエステル等の、防寒性を有する布材より長方形状に形成され、人の体全体を包容することのできる程度の大きさの布団、マットの部分と、
該布団、マットの部分の短辺の間の中央部にその開口部を短辺の内側にしてポケット状に縫着され、布団、マットの部分を畳んで収納するクッション又は座布団のサイズを持った収納部とを具備し、
布団、マットまたは、寝袋として使用しない場合には布団、マットの部分を収納部とほぼ同じ大きさに畳み、収納部を裏返して収納部内に収納して、クッション、又は座布団を構成するようにし、
布団、マットの部分を収納部より取りだし展開して布団、マットとして使用することを特徴とする多用途クッション。
【請求項２】
綿，ポリエステル等の、防寒性を有する布材より長方形状に形成され、人の体全体を包容することのできる程度の大きさの布団、マットの部分と、
該布団、マットの部分の短辺の間の中央部にその開口部を短辺の内側にしてポケット状に縫着され、布団、マットの部分を収納部とほぼ同じ大きさに畳んで収納するクッション又は座布団のサイズを持った収納部と、
前記布団、マットの部分の二つの長辺及び一方の短辺に連続してコの字状に設けられてたスライドファスナとを具備し、
布団、マットまたは、寝袋として使用しない場合には布団、マットの部分を収納部とほぼ同じ大きさに畳み、収納部を裏返して収納部内に収納して、クッション、又は座布団を構成するようにし、
布団、マットの部分を収納部より取りだし展開して布団、マットとして使用し、展開した布団、マットをスライドファスナにより、その両長辺と短辺を重ねてその中間位置まで結合することにより寝袋として使用することを特徴とする多用途クッション。
【請求項３】
請求項１乃至請求項２において、収納部の外側の布材は、布団、マットの部分と同一の布材を使用し、布団、マットの部分と同一又は統一のある模様が付けられ、収納部内側にはクッション、又は座布団としての模様が付けられていることを特徴とする多用途クッション。
【請求項４】
請求項１乃至請求項２において、布団、マットの部分の少なくとも一方の面には、アルミコートの施された布を使用することを特徴とする多用途クッション。
【発明の詳細な説明】
【０００１】
【発明の属する技術分野】
本発明は、座布団、布団、マット、寝袋等の各種の用途に活用出来る多用途クッションに関する。
本発明の多用途クッションは、クッションの内容物を引き出し展開することにより、布団、マット、寝袋等の各種の用途に活用することが出来る。
【０００２】
【従来の技術】
クッションや座布団、布団、マット、寝袋等は、常時使用されるものではなく、使用しない時期においては、保管スペースの場所を取っているだけである。
このように、使用時期が限られていおり、それ以外の期間には使用することの無いこたつ布団や、レジャー等にしか使用しない寝袋等を他の用途に活用できるようにする各種の多用途製品の提案が行われている。
例えば、こたつ布団を寝袋としても使用出来るように、ファスナによって、幅方向に少なくとも２つに分割されるようにして、ファスナにより連結した状態において、こたつ用布団として使用し、ファスナを解除して分離した状態において、２つの寝袋様分割構造体を形成するようにして、こたつ用布団兼寝袋様分割構造体を構成するようにした多用途製品の提案が行われている。（特開２００１−３５３０５６号）
又、寝袋を座布団としても使用出来るように、体全体を包容可能な袋体と、この袋体を畳んで収納可能な収納部と、充填部材が詰められた枕体とを備えた寝袋であって、前記袋体を前記収納部内に収納した際には、全体として扁平状をなし、その上面が着座面として座布団として使用するようにした多用途製品の提案が行われている。（特開２０００−２１０１７５号）
【０００３】
【発明が解決しようとする課題】
しかしながら、上記に示すような多用途可能なこたつ布団や寝袋は、他用途への転用を考慮したために、本体の構造が本来のこたつ布団や寝袋とは異なった形態になっており、主たる用途のこたつ布団や他の用途の座布団として使用する場合に、専用のこたつ布団や座布団に比べて、使用勝手が劣り不十分なもので有り、
またその外形も機能の中心で体裁が良くものではなく、いずれの用途においても中途半端で使用者に充分な満足を与えるものではなかった。
【０００４】
【課題を解決するための手段】
本発明は、通常の布団、マットと同様に、綿，ポリエステル等の、防寒性を有する布材より長方形状に形成された布団、マットの部分と、布団、マットの部分の短辺にその開口部を短辺の内側にしてポケット状に縫着され、布団、マットの部分を畳んで収納する収納部とを具備し、布団、マットまたは、寝袋として使用しない場合には布団、マットの部分を収納部を裏返して収納して、クッション、又は座布団を構成するようにし、それぞれの用途において、専用のクッション、座布団、布団、マット等のいずれの用途においても使用勝手が変わらず、またその外形や体裁も変わらない多用途クッションを実現することにより、従来の問題を解決したものである。
【０００５】
【発明の実施の形態】
【実施例】
以下、本発明の多用途クッションの実施形態について図１〜図３を参照して説明する。
図１は、本発明の多用途クッションをの構成を示す説明図で、多用途クッションを展開した布団、マットの状態を示したものである。
図１において、１０は、多用途クッションを展開した布団、マットの部分を示す。布団、マットの部分１０は、通常の布団、マットと同様に、綿，ポリエステル等の、防寒性を有する布材、綿入れしてキルティング加工された生地等により長方形状に形成されており、人の体全体を包容することのできる程度の大きさである。
【０００６】
布団、マットの部分１０の少なくとも一方の面には、アルミコートの施された防水製のある布を使用することにより、レジャー等の屋外の使用に適したものとなる。
布団、マットの部分１０は、その短辺１１，１２及び長辺１３，１４に平行に、短辺及び長辺を３等分する折畳み線が設けられている。
１５は、その二つの長辺１３，１４及び一方の短辺１２に連続してコの字状に設けられてたスライドファスナである。
このスライドファスナ１５により、布団、マットの部分１０の長辺１３，１４と短辺１２を重ねてその中間位置まで結合することにより、寝袋として使用する
袋体ができるようになっている。
【０００７】
１６は、布団、マットの部分１０の収納部である。収納部１６は、布団、マットの部分１０の短辺１１の折畳み線の間、即ち短辺１１の中央部にその開口部ｂを内側にポケット状に縫着されている。
この収納部１６は、布団、マットの部分１０を布団、マットまたは、寝袋として使用しない場合には布団、マットの部分１０を畳んで収納袋体１６内に収納して、クッション、又は座布団を構成する表布として機能する。
収納部１６の外側の布材は、布団、マットの部分と同一の布材を使用し、布団、マットの部分と同一又は統一のある模様が付けられている。又、収納部１６の内側はクッション、又は座布団としての独自の模様が付けられている。
収納部１６は、座布団として人が座るのに適した大きさ、または、クッションとし椅子の着座面等に載置して使用するのに適した大きさに設定されている。
収納部１６には、必要な場合にはその開口部縁に沿ってスライドファスナ１７が備えられている。
【０００８】
次に本発明の多用途クッションの実施形態の作用を説明する。
図２は、図１に示した布団、マットの部分１０を折り畳んで収納部１６内に収納し、クッション、又は座布団を構成するプロセスを説明した図である。
図２において、図１と同一の部分には同一の符合を付けてその説明を省略する。
先ず、図２の（ａ）に示すように、図１に示した布団、マットの部分１０を裏返して、収納部１６が付けられていない面を、その長辺１３，１４に平行な折畳み線に添って、長辺１３，１４が収納部１６の上部に位置するように内側に折り畳み重ねて、短編の長さを１／３の長方形にする。
【０００９】
次に、図２の（ｂ）に示すように、短編の長さを１／３の長方形になったマットの部分１０を、その短辺１１，１２に平行な折畳み線に添って、順次、収納部１６の方向に折り畳み、収納部１６上部に位置するように重ねて、収納部１６と同じ大きさの形状にする。
最後に、図２の（ｃ）に示すように、収納部１６と同じ大きさの形状に折り畳まれたマットの部分１０の下側に形成されている収納部１６を裏返して、収納部１６と同じ大きさの形状に折り畳まれたマットの部分１０を収納部１６の内部に収容することにより、クッション、又は座布団を構成し、スライドファスナ１７を閉じた状態とする。
【００１０】
この状態では、マットの部分１０は、扁平なほぼ正方形の形状をなし、収納部１６を裏返したクッション、又は座布団の内綿として機能し、上面に着座可能となるため、座布団等として使用することができる。このとき、収納部１６の内に収納されたマットの部分１０によりクッション性を得ることができるため、座り心地も良好である。
このようにして形成されたクッション、又は座布団の表面には収納部１６の内側のクッション、又は座布団としての独自の模様が表示されているので、外観のデザインを向上させることが出来るので、専用のクッション、又は座布団と外見上は差異が無いものとなっている。
【００１１】
図３は、図１に示した布団、マットの部分１０により寝袋を構成するプロセスを説明した図である。
寝袋を作る場合には、最初に、図３の（ａ）に示すように、図１に示した布団、マットの部分１０を、その短辺を二つ折りにして、重ね合わせる。
次に、図３の（ｂ）に示すように、マットの部分１０の長辺及び一方の短辺に設けられてたスライドファスナにより、布団、マットの部分１０の長辺１３，１４と短辺１２の中間位置まで結合することにより、袋体を作り寝袋を形成する。
この場合、布団、マットの部分の少なくとも一方の面には、アルミコートの施された防水製のある布が使用されている場合には、この面が寝袋の外側に成るようにすることにより、レジャー等の屋外の使用に適したものとなる。
寝袋として使用している時には、収納部１６に適当物を詰めることにより枕としての機能を持たせることも出来る。
又、マットの一方の面にアルミコートの施された布を使用した場合には、アルミコートが断熱防火機能をもっているため、火災などの場合にこれをかぶることにより人体を高熱から保護することが出来るので、防災用具としても使用できる。
【００１２】
上記のように、本発明の多用途クッションは、通常はクッション又は布団としてコンパクトな状態を保持しているが、必要な場合にはこれを布団、マットまたは、寝袋、あるいは防災用具として使用しすることが出来る。
このため、レジャー等に持参する場合にも、持ち運びが容易であり、現地ではこれを布団、マットまたは、寝袋として各種の用途に活用することが出来る。
又、家庭内において通常のクッション又は布団とし使用し、災害時等に布団、マットまたは、寝袋として使用し、火災等の高温から体を保護する防災用具としても使用出来る。
又、車に搭載しておき、車内において通常はクッションとして使用し、必要な場合には布団、膝掛けマット等として使用することも可能で多目的に使用することができる。
【００１３】
【発明の効果】
以上の説明より明らかなように、本発明の多用途クッションは、通常の布団、マットと同様に、綿，ポリエステル等の、防寒性を有する布材より長方形状に形成された布団、マットの部分と、布団、マットの部分の短辺にその開口部を短辺の内側にしてポケット状に縫着され、布団、マットの部分を畳んで収納する収納部とを具備し、布団、マットまたは、寝袋として使用しない場合には布団、マットの部分を収納部を裏返して収納して、クッション、又は座布団を構成するようにしたものである。
このため、本発明の多用途クッションはそれぞれの用途において、専用のクッション、座布団、布団、マット等のいずれの用途においても使用勝手が変わらず、またその外形や体裁も変わらない多用途クッションを実現することが出来るので一年中、多目的に使用することのできるという点において極めて実用性が高いものである。
【図面の簡単な説明】
【図１】本発明の多用途クッションをの構成を示す説明図で、多用途クッションを展開した布団、マットの状態を示したものである。
【図２】図１に示した布団、マットの部分を折り畳んで収納部内に収納し、クッション、又は座布団を構成するプロセスを説明した図である。
【図３】図１に示した布団、マットの部分により寝袋を構成するプロセスを説明した図である。
【符号の説明】
１０・・・多用途クッションを展開した布団、マットの部分，
１１，１２・・・布団、マットの部分の短辺
１３，１４・・・布団、マットの部分の長辺
１５・・・スライドファスナ，
１６・・・布団、マットの部分の収納部，
１７・・・収納部１６のスライドファスナ，
【図１】
2004321415.tif 000003
【図２】
2004321415.tif 000004
【図３】
2004321415.tif 000005